(57)【要約】【課題】フェンスを構成する網状パネル同士の上部を所定の相互角度で接続する施工の容易な構造を提供する。【解決手段】水平縦線２ａと水平横線３ａとを持つ２つの網状パネル１の折り返し部１ａを、接続金具組立体１１によって、所定の相互角度をもって接続する。接続金具組立体１１は、各一対の第１ないし第３の金具１２，１３，１４からなる。第３の金具１は、ボルト１６で第１の金具１２の垂下板部２０に固着される。ボルト１５により第１の金具１２の挟持縁部１９ｂと第２の金具１３の挟持縁部１３ｂとを締め付け、両者間で水平横線３ａを挟持する。第３の金具１４の接続板部２５同士がボルト１７、ナット１８で結合され、これでパネル１の交互角度が維持される。【選択図】図２
2015098742.tif 000002
【特許請求の範囲】
【請求項１】
縦方向に延びる複数の縦線とこの縦線の外側面に溶着された横方向に延びる複数の横線とを有し、かつ上端部に内側方向への水平の折り返し部を有する左右２つのフェンス用網状パネルの隣接端部間を接続金具組立体により、所定の相互角度で接続する構造であって、
前記接続金具組立体は、前記各網状パネルの水平折り返し部を上下に挟んでボルトにて相互に締め付け固定される各一対の第１及び第２の金具と、第１の金具にボルトにて固着されると共に相互にボルトで結合される一対の第３の金具とを具備し、
前記第１の金具は、前記網状パネルの水平折り返し部の下面に沿う取り付け板部とこの取り付け板部の内側端から垂直下方に延びる垂下板部とを具備し、取り付け板部と垂下板部はそれぞれねじ孔又はねじ挿通孔を有し、
前記第２の金具は、前記網状パネルの水平折り返し部を挟んで前記第１の金具の取り付け板部と対向するように水平折り返し部の上面に沿い、取り付け板部のねじ孔又はねじ挿通孔に対応するねじ孔又はねじ挿通孔を有し、ボルトにて取り付け板部と結合され、
前記第３の金具は、前記第１の金具の垂下板部に沿いかつ第１の金具の垂下板部のねじ孔又はねじ挿通孔に対応するねじ孔又はねじ挿通孔を有する基板部と、この基板部における前記網状パネルの隣接端部側の一端から内方へ当該基板部に対して傾斜して延び横方向のボルト挿通用長孔を有する接続板部とを具備し、
前記第１の金具にそれぞれ取り付けられた２つの前記第３の金具の接続板部は、互いに重合し、前記長孔を貫通するボルトにて結合されることを特徴とするフェンス用網状パネルの接続構造。
【請求項２】
前記網状パネルの水平折り返し部は、前記垂直方向の複数の縦線の上端部を水平に屈折させてなる水平縦線と、この複数の水平縦線の上面に直交方向に溶着された少なくとも内外２本の平行な水平横線とを具備し、
前記第１の金具の取り付け板部は、前記網状パネルの水平折り返し部の下面に沿う概略矩形状の主板部と、前記２本の水平横線の下面に当接するように主板部の内側縁と外側縁に形成された挟持縁部とを具備し、
前記第２の金具は、前記網状パネルの水平折り返し部の上面に沿う概略矩形状の主板部と、前記２本の水平横線の上面に当接するように主板部の内側縁と外側縁に形成された挟持縁部とを具備し、
前記第１の金具の挟持縁部は、前記網状パネルの２本の水平縦線の間に位置し、前記主板部の内側及び外側の縁に段部を介して主板部より上側位置に形成され、それによって挟持縁部が２本の水平縦線の間において前記水平横線の下面に当接し、
前記第２の金具の挟持縁部は、前記主板部の内側及び外側の縁に段部を介して主板部より上側位置に形成され、
前記第１の金具のねじ孔又はねじ挿通孔は、前記主板部を上方へ突出させた上方凸部上に形成されることを特徴とする請求項１に記載のフェンス用網状パネルの接続構造。
【請求項３】
前記第３の金具の接続板部は、上下いずれか一方の縁に沿い内側へ直角に起立したガイド片を具備し、一対の第１の金具の接続板部の他方の縁が互いに他方の接続板部のガイド片に沿うように配置されることを特徴とする請求項１又は２に記載のフェンス用網状パネルの接続構造。
【発明の詳細な説明】
【技術分野】
【０００１】
本発明は、フェンスを構成する網状パネル同士を所定の相互角度をもって、上部において横方向に接続する構造に係り、特に、各網状パネルが、縦方向の複数の縦線と横方向の複数の横線とを有してなるものの接続構造に関する。
【背景技術】
【０００２】
従来、フェンス用網状パネルの接続構造として、接続すべき左右２つの網状パネルを、表側と裏側から第１、第２の２つの金具で挾持することにより、互いに接続するものが知られている（例えば特許文献1参照）。網状パネルは、線材からなる縦方向に延びる複数の縦線と、この縦線の表側面に溶着された横方向に延びる複数の横線とを具備する。２つの金具は、１本のボルトで締め付けられる。ほぼ相似形に形成された第１、第２の金具を網状パネルを挟んで向かい合わせに突き合わせ、向かい合った溝状部を各網状パネルの横線に嵌合させる。両金具の溝状部の端縁である爪部の先端同士が突き合わされることにより、向かい合った溝状部間に横線を通す断面ほぼ菱形の空間が形成される。向かい合った基部間の左右両縁部に沿って縦線が貫通する。第１、第２の金具は、基部の中央を貫通するボルトにより、向かい合った両基部間を接近させる方向に締め付けられる。
【先行技術文献】
【特許文献】
【０００３】
【特許文献１】特開２００３−２０１７７６号公報
【発明の概要】
【発明が解決しようとする課題】
【０００４】
特許文献１に記載のフェンス用網状パネルの接続構造は、左右２つの網状パネルをその面方向に真っ直ぐに接続する構造であり、地境のコーナー部等において２つの網状パネルを所定の角度をもって接続する構造には適用することができない。他に網状パネルを所定の角度をもって接続する施工の容易な構造に関する先行技術を出願人は見出せなかった。
したがって、本発明は、フェンスを構成する網状パネル同士をその上部において所定の相互角度をもって、横方向に接続する施工の容易な構造を提供することを目的としている。
【課題を解決するための手段】
【０００５】
以下、添付図面の符号を参照して説明するが、本発明はこれに限定されるものではない。
上記課題を解決するための、本発明のフェンス用網状パネルの接続構造は、縦方向に延びる複数の縦線２とこの縦線２の外側面に溶着された横方向に延びる複数の横線３とを有し、かつ上端部に内側方向への水平の折り返し部１ａを有する左右２つのフェンス用網状パネル１の上部隣接端部間を接続金具組立体１１により、所定の相互角度で接続する構造である。接続金具組立体１１は、第１ないし第３のそれぞれ同形一対の金具１１，１２，１３を具備する。一対の第１及び第２の金具１２，１３は、各網状パネル１の水平折り返し部１ａを上下に挟んでボルト１５にて相互に締め付け固定される。一対の第３の金具１４は、それぞれ第１の金具１２にボルト１６にて固着されると共に、相互にボルト１７で結合される。第１の金具１２は、網状パネルの水平折り返し部１ａの下面に沿う取り付け板部１９と、この取り付け板部１９の内側端から垂直下方に延びる垂下板部２０とを具備する。取り付け板部１９と垂下板部２０は、それぞれねじ孔２１又はねじ挿通孔２２を有する。第２の金具１３は、網状パネルの水平折り返し部１ａを挟んで第１の金具１２の取り付け板部１９と対向するように水平折り返し部１ａの上面に沿い、取り付け板部１９のねじ孔２１又はねじ挿通孔に対応するねじ孔又はねじ挿通孔２３を有し、ボルト１５にて取り付け板部１９と結合される。第３の金具１４は、基板部２４と接続板部２５とを具備する。基板部２４は、第１の金具１２の垂下板部２０に沿い、かつ垂下板部２０のねじ孔又はねじ挿通孔２２に対応するねじ孔２６又はねじ挿通孔を有し、ボルト１６にて垂下板部２０と結合される。接続板部２５は、基板部２４における網状パネル１の隣接端部側の一端から内方へ当該基板部２４に対して傾斜して延び、横方向のボルト挿通用長孔２７を有する。一対の第１の金具１２にそれぞれ取り付けられた２つの第３の金具１４の接続板部２５は、互いに重合し、長孔２７を貫通するボルト１７にて結合される。
【発明の効果】
【０００６】
本発明のフェンス用網状パネルの接続構造においては、第１の金具１２と第２の金具１３の挟持縁部１９ｂ、１３ｂ間で網状パネルの水平横線３ａを確固に挟持でき、かつ第１の金具１２に結合された第３の金具１４の接続板部２５同士の結合により、２つの網状パネル１の屈折角度を確固に維持することができる。
【図面の簡単な説明】
【０００７】
【図１】本発明によるフェンス用網状パネルの接続構造を示す斜視図である。
【図２】図１のフェンス用網状パネルの接続構造を示す分解斜視図である。
【図３】図１のフェンス用網状パネルの接続構造を示す平面図である。
【図４】図１のフェンス用網状パネルの接続構造を示す正面図である。
【図５】図３におけるＶ−Ｖ拡大断面図である。
【図６】図３におけるＶＩＩ−ＶＩＩ拡大断面図である。
【発明を実施するための形態】
【０００８】
図面を参照して本発明の実施の形態を説明する。
図1において、２つの網状パネル１は、隣接端部において所定角度に屈折して接続され、フェンスを構成する。以下、網状パネル１の相互屈折角の内角側を「内側」、その反対側を「外側」という。各網状パネル１は、線材からなる縦方向の複数の縦線２と、この縦線２の外側面に溶着された線材からなる横方向の複数の横線３とからなり、上端部に内側方向への水平の折り返し部１ａを有する。網状パネルの水平折り返し部１ａは、垂直方向の各縦線２の上端部を水平に屈折させてなる水平縦線２ａと、この複数の水平縦線の上面に直交方向に溶着された内外２本の平行な水平横線３ａとを具備する。
【０００９】
左右２つの網状パネル１は、隣接端部の上部において、接続金具組立体１１により、所定の相互屈折角度をもって支持される。接続金具組立体１１は、第１ないし第３のそれぞれ同形一対の金具１２，１３，１４を具備する。
【００１０】
各一対の第１及び第２の金具１２，１３は、各網状パネルの水平折り返し部１ａを上下に挟んでボルト１５にて相互に締め付け固定される。
【００１１】
一対の第３の金具１４は、それぞれ第１の金具１２にボルト１６にて固着されると共に、相互にボルト１７、ナット１８で結合される。
【００１２】
図２に示すように、第１の金具１２は、網状パネルの水平折り返し部１ａの下面に沿う取り付け板部１９と、この取り付け板部１９の内側端から垂直下方に延びる垂下板部２０とを具備する。取り付け板部１９は、ねじ孔２１又はねじ挿通孔を有する。垂下板部２０も、ねじ孔又はねじ挿通孔２２を有する。
【００１３】
第２の金具１３は、網状パネルの水平折り返し部１ａを挟んで第１の金具１２の取り付け板部１９と対向するように、水平折り返し部１ａの上面に沿う。第２の金具１３は、取り付け板部１９のねじ孔２１又はねじ挿通孔に対応するねじ孔又はねじ挿通孔２３を有し、ボルト１５にて取り付け板部１９と結合される。
【００１４】
図２に示すように、第３の金具１４は、基板部２４と接続板部２５とを具備する。基板部２４は、第１の金具１２の垂下板部２０に沿い、かつ垂下板部２０のねじ孔又はねじ挿通孔２２に対応するねじ孔２６又はねじ挿通孔を有する。
【００１５】
接続板部２５は、基板部２４における網状パネルの隣接端部側の一端から内方へ当該基板部２４に対して傾斜して延び、横方向のボルト挿通用長孔２７を有する。一対の第１の金具１２にそれぞれ取り付けられた２つの第３の金具１４の接続板部２５は、互いに重合し、長孔２７を貫通するボルト１７、ナット１８にて結合される。
【００１６】
図２，５，６に示すように、第１の金具の取り付け板部１９は、網状パネルの水平折り返し部１ａの下面に沿う概略矩形状の主板部１９ａと、２本の水平横線３ａの下面に当接するように主板部１９ａの内側縁と外側縁に形成された挟持縁部１９ｂとを具備する。挟持縁部１９ｂは、網状パネルの２本の水平縦線２ａの間に位置し、主板部１９ａの内側及び外側の縁に段部１９ｃを介して主板部１９ａより上側位置に形成される。それによって挟持縁部１９ｂが２本の水平縦線２ａの間において水平横線３ａの下面に当接する。第１の金具のねじ孔２１又はねじ挿通孔は、主板部１９ａを上方へ突出させた上方凸部１９ｄに形成される。
【００１７】
図２，５，６に示すように、第２の金具１３は、網状パネルの水平折り返し部１ａの上面に沿う概略矩形状の主板部１３ａと、２本の水平横線３ａの上面に当接するように主板部１３ａの内側縁と外側縁に形成された挟持縁部１３ｂとを具備する。挟持縁部１３ｂは、主板部１３ａの内側及び外側の縁に段部１３ｃを介して主板部１３ａより上側位置に形成される。
【００１８】
なお、各金具のねじ孔２１，２６とねじ挿通孔２２，２３は、対応する者同士相互に変更可能である。
【００１９】
相隣接する２つの網状パネル１を互いに接続する際には、例えば、第１の金具１３の垂下板部２０にボルト１６で第３の金具１４を固定しておき、網状パネル１の水平部１ａの上側から第２の金具１３をあてがい、内外の横線３ａの上側面に挟持縁部１３ｂを当接させると共に、第２の金具１３に対向するように、下側から第１の金具１３の取り付け板部１９をあてがい、挟持縁部１９ｂを内外２本の横線３ａの下側面に当接させる。この状態で、上側からねじ挿通孔２３を通してねじ孔２１にボルト１５を螺合させて、挟持縁部１３ｂ、１９ｂ間に横線３ａを緩く挟持させ、他方の網状パネル１に同様に装着した第１の金具１２との相互位置を調整し、各第１の金具１３に取り付けられた第３の金具１４の長孔２７を合致させ、ボルト１７，ナット１８により第３の金具１４同士を結合する。
【００２０】
ボルト１５を締め付ける際に、過剰な締め付け力を加えた場合、第１の金具１２の上側凸部１９ｄの上側面が、第２の金具１３の下側面に当接することで、両金具１２，１３の変形が阻止されるから、過剰な変形による把持力の低下を回避することができる。
【００２１】
このフェンス用網状パネルの接続構造においては、第１の金具１２と第２の金具１３の挟持縁部１９ｂ、１３ｂ間で網状パネル１の水平横線３ａを確固に挟持でき、かつ第１の金具１２に取り付けられた第３の金具１４の接続板部２５同士の結合により、２つの網状パネル１の屈折角度を確固に維持することができる。
【符号の説明】
【００２２】
１    網状パネル
１ａ  水平の折り返し部
２    縦線
２ａ  水平縦線
３    横線
３ａ  水平横線
１１  接続金具組立体
１２  第１の金具
１３  第２の金具
１３ａ  主板部
１３ｂ  挟持縁部
１３ｃ  段部
１４  第３の金具
１５  ボルト
１６  ボルト
１７  ボルト
１８  ナット
１９  取り付け板部
１９ａ  主板部
１９ｂ  挟持縁部
１９ｃ  段部
１９ｄ  上側凸部
２０  垂下板部
２１  ねじ孔
２２  ねじ挿通孔
２３  ねじ挿通孔
２４  基板部
２５  主板部
２６  ねじ孔
２７  長孔
２４  ガイド片
２６  挟持縁部
２５  接続板部
２７  ねじ挿通孔
【図１】
2015098742.tif 000003
【図２】
2015098742.tif 000004
【図３】
2015098742.tif 000005
【図４】
2015098742.tif 000006
【図５】
2015098742.tif 000007
【図６】
2015098742.tif 000008
【手続補正書】
【提出日】平成26年12月4日(2014.12.4)
【手続補正１】
【補正対象書類名】特許請求の範囲
【補正対象項目名】請求項３
【補正方法】変更
【補正の内容】
【請求項３】
前記第３の金具の接続板部は、上下いずれか一方の縁に沿い内側へ直角に起立したガイド片を具備し、一対の第３の金具の接続板部の他方の縁が互いに他方の接続板部のガイド片に沿うように配置されることを特徴とする請求項１又は２に記載のフェンス用網状パネルの接続構造。
【手続補正２】
【補正対象書類名】明細書
【補正対象項目名】００１４
【補正方法】変更
【補正の内容】
【００１４】
図２に示すように、第３の金具１４は、基板部２４と接続板部２５とを具備する。基板部２４は、第１の金具１２の垂下板部２０に沿い、かつ垂下板部２０のねじ孔又はねじ挿通孔２２に対応するねじ孔２６又はねじ挿通孔を有する。第３の金具１４の接続板部２５は、上下いずれか一方の縁に沿い内側へ直角に起立したガイド片を具備し、一対の第３の金具１４の接続板部２５の他方の縁が互いに他方の接続板部２５のガイド片に沿うように配置される。